(57)【要約】【課題】  配管および配線を床下地から浮いた状態で安定に支持すること。【解決手段】  二重床に用いられる支持脚（３）の軸部（４）に本体（５）の一端部に設けられた係合部（６）が係合して支持部材（７）が、隣接する２本の支持脚間に架設され、支持部材の係合部は、本体の変位により支持脚の軸部に係合し、配管（８）および配線（９）が支持部材の本体上に配置され、配管および配線が床下地（２）から浮いた状態に支持される。【選択図】図１
2005273217.tif 000002
【特許請求の範囲】
【請求項１】
二重床に用いられる支持脚の軸部に本体の一端部に設けられた係合部が係合して支持部材が、隣接する２本の支持脚間に架設され、支持部材の係合部は、本体の変位により支持脚の軸部に係合し、配管および配線が支持部材の本体上に配置され、配管および配線が床下地から浮いた状態に支持されることを特徴とする二重床の配管・配線構造。
【請求項２】
係合部は遊嵌部であり、本体に対して角度を持って連結され、隣接する２本の支持脚の軸部に遊嵌部を通し、本体を下方に変位させることにより遊嵌部が支持脚の軸部に係合し、本体が重合する請求項１記載の二重床の配管・配線構造。
【請求項３】
２つの支持部材が係合部の設けられていない一端部において軸着され、かつ両本体が付勢手段により連結され、付勢手段の付勢力は、２つの支持部材の連結角度を減ずる向きに作用し、本体が変位することにより係合部が支持脚の軸部に係合する請求項１記載の二重床の配管・配線構造。
【発明の詳細な説明】
【技術分野】
【０００１】
この出願の発明は、二重床の配管・配線構造に関するものである。さらに詳しくは、この出願の発明は、配管および配線を床下地から浮いた状態で安定に支持することのできる二重床の配管・配線構造に関するものである。
【背景技術】
【０００２】
床材が床下地から浮いた状態で配設される二重床については、床材と床下地の間に形成されるスペースに配線を通すことが行われている（たとえば、特許文献１参照）。
【特許文献１】特開平１１−２１５６６８号公報
【発明の開示】
【発明が解決しようとする課題】
【０００３】
しかしながら、上記特許文献１に記載された配線用の取付部材は、床下地上に載置されており、このため、配線を床下地から浮いた状態で配設することはできない。床下地に不陸がある場合には、取付部材は傾いて配設されることとなり、配線を安定に支持することができない。
【０００４】
この出願の発明は、このような事情に鑑みてなされたものであり、配管および配線を床下地から浮いた状態で安定に支持することのできる二重床の配管・配線構造を提供することを解決すべき課題としている。
【課題を解決するための手段】
【０００５】
この出願の発明は、上記の課題を解決するものとして、第１には、二重床に用いられる支持脚の軸部に本体の一端部に設けられた係合部が係合して支持部材が、隣接する２本の支持脚間に架設され、支持部材の係合部は、本体の変位により支持脚の軸部に係合し、配管および配線が支持部材の本体上に配置され、配管および配線が床下地から浮いた状態に支持されることを特徴とする二重床の配管・配線構造を提供する。
【０００６】
この出願の発明は、第２には、上記第１の二重床の配管・配線構造において、係合部は遊嵌部であり、本体に対して角度を持って連結され、隣接する２本の支持脚の軸部に遊嵌部を通し、本体を下方に変位させることにより遊嵌部が支持脚の軸部に係合し、本体が重合する二重床の配管・配線構造を提供する。
【０００７】
この出願の発明は、第３には、上記第１の二重床の配管・配線構造において、２つの支持部材が係合部の設けられていない一端部において軸着され、かつ両本体が付勢手段により連結され、付勢手段の付勢力は、２つの支持部材の連結角度を減ずる向きに作用し、本体が変位することにより係合部が支持脚の軸部に係合する二重床の配管・配線構造を提供する。
【発明の効果】
【０００８】
この出願の発明の第１の二重床の配管・配線構造によれば、配管および配線を床下地から浮いた状態で安定に支持することができる。
【０００９】
この出願の発明の第２の二重床の配管・配線構造によれば、隣接する２本の支持脚の軸部に遊嵌部を通し、本体を下方に変位させることにより、遊嵌部が支持脚の軸部に係合し、本体が重合する。
【００１０】
この出願の発明の第３の二重床の配管・配線構造によれば、付勢手段の付勢力が、２つの支持部材の連結角度を減ずる向きに作用し、本体が変位することにより係合部が支持脚の軸部に係合する。
【発明を実施するための最良の形態】
【００１１】
以下、図面に沿ってこの出願の発明の二重床の配管・配線構造についてさらに詳しく説明する。
【００１２】
図１は、この出願の発明の二重床の配管・配線構造の一実施形態の概要を示した断面図である。
【００１３】
図１に例示したように、この出願の発明の二重床の配管・配線構造では、床材（１）を床下地（２）の上方に配設し、二重床の形成に用いられる支持脚（３）の軸部（４）に、本体（５）の一端部に設けられた係合部（６）が係合して支持部材（７）が、隣接する２本の支持脚（３）間に架設される。支持部材（７）では、係合部（６）は、本体（５）の変位により支持脚（３）の軸部（４）に係合するようになっている。このようにして配設される支持部材（７）の本体（５）上に配管（８）および配線（９）が配置される。
【００１４】
このように、この出願の発明の二重床の配管・配線構造では、支持部材（７）が、床下地（２）から離れた状態で隣接する２本の支持脚（３）間に架設されるため、配管（８）および配線（９）が床下地（２）から浮いた状態に支持される。床下地（２）に不陸がある場合にも、配管（８）および配線（９）は支持部材（７）により安定に支持される。
【００１５】
この出願の発明の二重床の配管・配線構造に用いられる支持部材（７）として、図１に示した実施形態では、係合部（６）を遊嵌部（１０）とし、本体（５）に対して角度を持って連結されたものが例示されている。このような遊嵌部（１０）を係合部（６）として有し、本体（５）に対して角度を持って連結された支持部材（７）を配設する際には、隣接する２本の支持脚（３）の軸部（４）に遊嵌部（１０）を通し、本体（５）を下方に変位させて遊嵌部（１０）を支持脚（３）の軸部（４）に係合させる。このとき、本体（５）は、一方が他方の上に載置され、重合する。配管（８）、配線（９）の内、重い部材は、本体（５）の重合する部分に配置し、軽い部材は、本体（５）の重合しない部分に配置することができる。
【００１６】
また、支持部材（７）としては、図２に示したように、２つの支持部材（７）が、係合部（６）の設けられていない一端部において軸着され、かつ両本体（５）が付勢手段（１１）により連結されたものが例示される。この図２に示した支持部材（７）では、付勢手段（１１）の付勢力が、２つの支持部材（７）の連結角度を減ずる向きに作用するようになっている。付勢手段（１１）については特に制限されないが、コイルスプリングなどが例示される。このような図２に示した支持部材（７）を配設する際には、本体（５）を変位させ、連結角度をある大きさにし、係合部（６）を支持脚（３）の軸部（４）に係合させる。すると、支持部材（７）は、図１に示した床材（１）と床下地（２）の間に固定される。したがって、この支持部材（７）の場合にも、配管（８）および配線（９）を図１に示した実施形態と同様に床下地（２）から浮いた状態に配置することができる。
【００１７】
このような支持部材（７）において係合部（６）は、図２に示したように、支持脚（３）の軸部（４）より大きめの開口部（１２）と、この開口部（１２）から付勢手段（１１）側に切り欠かれ、軸部（４）の挿入を可能にした切欠（１３）から形成することができる。この係合部（６）では、切欠（１３）を通じて支持脚（３）の軸部（４）を開口部（１２）内に挿入することにより、支持部材（７）を軸部（４）に引っ掛けることができる。
【００１８】
なお、この出願の発明の二重床の配管・配線構造では、配管（８）や配線（９）を支持部材（７）の本体（５）上に固定することもできる。その場合、支持部材（７）の本体（５）には、図２に例示したように、レール（１４）を設け、図３に示した取付部材（１５）を使用することができる。取付部材（１５）は、レール（１４）上に立設される２本のボルト（１６）を備える。また、取付部材（１５）は、断面半円部（１７）とその左右両側に一体に設けられたフランジ部（１８）を有する把持部（１９）を一対備える。このような取付部材（１５）により配管（８）または配線（９）を固定する際には、２本のボルト（１６）をレール（１４）から上方に向けて立ち上げ、ナット（２０）を締め付けて所定の間隔に固定する。次いで、一対の把持部（１９）のうち一方を断面半円部（１７）が下側に向くように、他方が上側に向くように配置し、フランジ部（１８）にボルト（１６）を通す。そして、断面円状に形成されたスペースの中に配管（８）または配線（９）を通し、ナット（２０）により締め付けて、一対の把持部（１９）で配管（８）または配線（９）を固定する。図１は、その状態の概要を示している。
【００１９】
もちろん、取付部材（１５）による配管（８）または配線（９）の固定は、上記の手順に限られることはなく、たとえば、取付部材（１５）をある程度の形状に形成しておき、配管（８）または配線（９）を把持部（１９）間に通して固定することもできる。
【００２０】
この出願の発明は、以上の実施形態によって限定されるものではない。支持脚や支持部材の係合部の構成および構造などの細部については様々な態様が可能であることはいうまでもない。
【図面の簡単な説明】
【００２１】
【図１】この出願の発明の二重床の配管・配線構造の一実施形態の概要を示した断面図である。
【図２】支持部材の一形態を示した平面図である。
【図３】取付部材の一形態を示した正面図である。
【符号の説明】
【００２２】
１    床材
２    床下地
３    支持脚
４    軸部
５    本体
６    係合部
７    支持部材
８    配管
９    配線
１０    遊嵌部
１１    付勢手段
１２    開口部
１３    切欠
１４    レール
１５    取付部材
１６    ボルト
１７    断面半円部
１８    フランジ部
１９    把持部
２０    ナット
【図１】
2005273217.tif 000003
【図２】
2005273217.tif 000004
【図３】
2005273217.tif 000005